(57)【要約】【課題】プリンターの集塵用のフィルターを容易に着脱することを目的とする。【解決手段】排気装置は、筐体２に形成された排気口２１と、排気口２１に気流を送るファンと、気流に含まれる粉塵を除去するフィルターと、フィルターを保持する保持体３５と、筐体２の外面の排気口２１の周囲に形成され、保持体３５の縁部４３を収容し、筐体２の外面に対して保持体３５をスライドさせることにより保持体が着脱される着脱部５１と、を備える。【選択図】図１０
2020115200.tif 000002
【特許請求の範囲】
【請求項１】
筐体に形成された排気口と、
前記排気口に気流を送るファンと、
前記気流に含まれる粉塵を除去するフィルターと、
前記フィルターを保持する保持体と、
前記筐体の外面の前記排気口の周囲に形成され、前記保持体の縁部を収容し、前記筐体の外面に対して前記保持体をスライドさせることにより前記保持体が着脱される着脱部と、
を備えることを特徴とする排気装置。
【請求項２】
前記排気口と前記着脱部は、前記筐体の側面に形成され、
前記着脱部は、上下方向に前記保持体をスライドさせることにより前記保持体が着脱されることを特徴とする請求項１に記載の排気装置。
【請求項３】
前記保持体は、予備のフィルターを収容する収容部を備えることを特徴とする請求項１に記載の排気装置。
【請求項４】
請求項１乃至３のいずれか１項に記載の排気装置と、
前記筐体と、
シートに画像を形成する画像形成部と、を備えることを特徴とする画像形成装置。
【発明の詳細な説明】
【技術分野】
【０００１】
本発明は、筐体内の空気を排出する排気装置及び排気装置を備える画像形成装置に関する。
【背景技術】
【０００２】
電子写真方式のプリンターの内部では、トナーに由来する粉塵や、紙粉など、種々の粉塵が発生する。そこで、従来、プリンターの内部で発生する粉塵を回収する技術が検討されている。例えば、特許文献１には、集塵フィルターの枚数が増減可能であり、集塵フィルターの取付位置が変更可能である排気ユニットが記載されている。特許文献２には、密度の異なる複数のフィルターを備えた排気装置が記載されている。特許文献３には、排気ファンから排気された気流の方向をダクトで下向きに変えて防塵フィルターを通過させ、排気口から下向きに排気する排気口消音装置が記載されている。
【先行技術文献】
【特許文献】
【０００３】
【特許文献１】特開２００１−１９４９６７号公報
【特許文献２】特開２０１０−９６９８４号公報
【特許文献３】特開２００４−２７１９３３号公報
【発明の概要】
【発明が解決しようとする課題】
【０００４】
しかし、特許文献１乃至３に記載された構成では、フィルターに粉塵が溜まるにつれて、排気効率が下がり、プリンター内部の温度が上昇しやすくなるため、フィルターの定期的な清掃や交換が必要である。フィルターの清掃や交換には、フィルターを着脱する作業が伴う。ところが、一般に、排気口はプリンターの筐体の背面や左右の側面に設けられており、プリンターは背面や側面を壁に向けて設置されることが多いため、フィルターを着脱しづらいという問題がある。
【０００５】
本発明は、上記事情を考慮し、集塵用のフィルターを容易に着脱することのできる排気装置及び画像形成装置を提供することを目的とする。
【課題を解決するための手段】
【０００６】
上記課題を解決するため、本発明に係る排気装置は、筐体に形成された排気口と、前記排気口に気流を送るファンと、前記気流に含まれる粉塵を除去するフィルターと、前記フィルターを保持する保持体と、前記筐体の外面の前記排気口の周囲に形成され、前記保持体の縁部を収容し、前記筐体の外面に対して前記保持体をスライドさせることにより前記保持体が着脱される着脱部と、を備えることを特徴とする。
【０００７】
本発明に係る排気装置において、前記排気口と前記着脱部は、前記筐体の側面に形成され、前記着脱部は、上下方向に前記保持体をスライドさせることにより前記保持体が着脱されるように構成されてもよい。
【０００８】
本発明に係る排気装置において、前記保持体は、予備のフィルターを収容する収容部を備えてもよい。
【０００９】
また、本発明に係る画像形成装置は、上記のいずれかの排気装置と、前記筐体と、シートに画像を形成する画像形成部と、を備えることを特徴とする。
【発明の効果】
【００１０】
本発明によれば、プリンターの集塵用のフィルターを容易に着脱することができる。
【図面の簡単な説明】
【００１１】
【図１】本発明の一実施形態に係るプリンターの内部構成を模式的に示す正面図である。
【図２】本発明の一実施形態に係るプリンター及び排気装置の斜視図である。
【図３】本発明の一実施形態に係る筐体の斜視図である。
【図４】本発明の一実施形態に係る排気口とその周辺部の斜視図である。
【図５Ａ】本発明の一実施形態に係る排気口とその周辺部の断面図である。
【図５Ｂ】図５ＡのＩ−Ｉ断面図である。
【図６】本発明の一実施形態に係る保持体の斜視図である。
【図７】本発明の一実施形態に係る保持体の斜視図である。
【図８】本発明の一実施形態に係る保持体の斜視図である。
【図９Ａ】本発明の一実施形態に係る保持体の断面図である。
【図９Ｂ】図９ＡのＩＩ−ＩＩ断面図である。
【図１０】本発明の一実施形態に係る保持体が筐体に着脱される様子を示す斜視図である。
【図１１Ａ】本発明の一実施形態に係る保持体３５が筐体２に取り付けられた様子を示す断面図である。
【図１１Ｂ】図１１ＡのＩＩＩ−ＩＩＩ断面図である。
【図１２】本発明の一実施形態の変形例に係るプリンター及び排気装置の斜視図である。
【発明を実施するための形態】
【００１２】
以下、図面を参照しつつ本発明の一実施形態に係るプリンター１（画像形成装置の一例）及び排気装置１９について説明する。
【００１３】
まず、図１を参照して、プリンター１の全体の構成について説明する。図１はプリンター１の内部構成を模式的に示す正面図である。以下、図１における紙面手前側をプリンター１の正面側（前側）とし、左右の向きはプリンター１を正面から見た方向を基準として説明する。各図において、Ｕ、Ｌｏ、Ｌ、Ｒ、Ｆｒ、Ｒｒは、それぞれ上、下、左、右、前、後を示す。
【００１４】
プリンター１の筐体２には、シートＳが収容される給紙カセット３と、給紙カセット３からシートＳを送り出す給紙装置５と、シートＳにトナー像を形成する画像形成部７と、トナー像をシートＳに定着する定着装置９と、シートＳを排出する排紙装置１１と、排出されたシートＳが留め置かれる排紙トレイ１３と、が備えられている。筐体２には、給紙装置５から、画像形成部７、定着装置９を経て排紙装置１１に向かうシートＳの搬送路１５が形成されている。
【００１５】
給紙装置５により給紙カセット３から給紙されたシートＳは、搬送路１５に沿って画像形成部７に搬送され、シートＳにトナー像が形成される。シートＳは搬送路１５に沿って定着装置９に送られ、トナー像がシートＳに定着される。トナー像が定着されたシートＳは、排紙装置１１により排紙トレイ１３に排出される。
【００１６】
次に、図２乃至９Ｂを参照して、排気装置１９の構成について説明する。図２は、プリンター１及び排気装置１９の斜視図である。図３は、筐体２の斜視図である。図４は、排気口２１とその周辺部の斜視図である。図５Ａは、排気口２１とその周辺部の断面図である。図５Ｂは、図５ＡのＩ−Ｉ断面図である。図６は、保持体３５の斜視図である。図７は、保持体３５の斜視図である。図８は、保持体３５の斜視図である。図９Ａは、保持体３５の断面図である。図９Ｂは、図９ＡのＩＩ−ＩＩ断面図である。
【００１７】
排気装置１９は、筐体２に形成された排気口２１と、排気口２１に気流を送るファン２７と、気流に含まれる粉塵を除去するフィルター３１と、フィルター３１を保持する保持体３５と、筐体２の外面の排気口２１の周囲に形成され、保持体３５の縁部４３を収容し、筐体２の外面に対して保持体３５をスライドさせることにより保持体３５が着脱される着脱部５１と、を備える。なお、以下で例示する排気装置１９の位置は一例にすぎず、排気装置１９はプリンター１のいかなる位置に配置されてもよい。
【００１８】
図２乃至５Ｂに示されるように、筐体２は、直方体状に形成されており、前後左右の側板と天板と底板を備える。図２、３には、後側の側板２Ｒｒと右側の側板２Ｒと天板２Ｕが図示されている。排気口２１は、後側の側板２Ｒｒにおける定着装置９の近傍に形成されている。排気口２１は、気流を整流するルーバー２３を備える。後側の側板２Ｒｒの内面に排気口２１に対向するダクト２５が接続され、ダクト２５の内部にファン２７が配置されている。
【００１９】
フィルター３１は、例えば、トナーに由来する粉塵や、紙粉など、主に定着装置９から発生する粉塵を吸着する。フィルター３１は、図８に示されるように、樹脂等で形成された枠体３３に取り付けられている。
【００２０】
図６乃至９Ｂに示されるように、保持体３５は、前側が開口した箱状の構造を有し、上下方向の長さが左右方向の長さよりも長い直方体状に形成されている。保持体３５は、筐体２の後側の側板２Ｒｒの外面に対向する対向部３５Ｒｒと、対向部３５Ｒｒの左右の両端部の前側に互いに対向するように形成された第１側板３５Ｌ及び第２側板３５Ｒと、対向部３５Ｒｒの上下の両端部の前側に互いに対向するように形成された第３側板３５Ｕ及び第４側板３５Ｌｏと、を備える。
【００２１】
対向部３５Ｒｒの前面の上下方向の概ね中央には、概ね水平な隔壁３５Ｗが形成されており、隔壁の下側に保持部３５Ｈが形成され、隔壁３５Ｗの上側に収容部３５Ａが形成されている。保持部３５Ｈにおいては、隔壁３５Ｗの下面と第４側板３５Ｌｏの上面に前後方向に延びる複数のリブ３７が形成されている。図６に示されるように、枠体３３が上下のリブ３７の間に押し込まれることにより、フィルター３１及び枠体３３が保持される。収容部３５Ａは、予備のフィルター３１及び枠体３３を収容可能な空間を有する。
【００２２】
図６に示されるように、対向部３５Ｒｒの保持部３５Ｈに対応する部分には、気流が排出される排気口３９が形成され、排気口３９には気流を整流するルーバー４１が形成されている。
【００２３】
第１側板３５Ｌ及び第２側板３５Ｒの前側の端部には、それぞれ左方、右方へ突出した上下方向に延びる縁部４３が形成されている。
【００２４】
図３乃至５Ｂに示されるように、筐体２の後側の側板２Ｒｒの外面における排気口２１の左右には、上下方向に延びる着脱部５１が形成されている。着脱部５１は、筐体２の後側の側板２Ｒｒの外面から後方に突出した第１規制部５１１と、筐体２の後側の側板２Ｒｒの外面に対向する第２規制部５１２と、を備え、第１規制部５１１と第２規制部５１２が一体に形成されている。左側の第２規制部５１２は、左側の第１規制部５１１の後端部の右側に形成されている。右側の第２規制部５１２は、右側の第１規制部５１１の後端部の左側に形成されている。左右の第１規制部５１１間の距離は、保持体３５の左右方向の幅（左側の縁部４３の左端面と右側の縁部４３の右端面との距離）よりも若干長い。筐体２の後側の側板２Ｒｒと第２規制部５１２との距離は、保持体３５の縁部４３の前後方向の厚みよりも若干長い。第１規制部５１１は、保持体３５の左右方向の移動を規制し、第２規制部５１２は、保持体３５の後方への移動を規制する。
【００２５】
筐体２の後側の側板２Ｒｒの外面における排気口２１の下方には、後方に突出した左右方向に延びる第１突出部５３が形成されている。保持体３５の第３側板３５Ｕの前側の端部には、前方に突出した左右方向に延びる第２突出部４５が形成されている。
【００２６】
次に、図２乃至１１Ｂを参照して、保持体３５の着脱について説明する。図１０は、保持体３５が筐体２に着脱される様子を示す斜視図である。図１１Ａは、保持体３５が筐体２に取り付けられた様子を示す断面図である。図１１Ｂは、図１１ＡのＩＩＩ−ＩＩＩ断面図である。
【００２７】
作業者は、図１０、１１Ｂに示されるように、保持体３５の縁部４３の下端部を着脱部５１の上端部の第１規制部５１１と第２規制部５１２とで形成される空間に挿入し、保持体３５を下方にスライドさせる。すると、図１１Ａに示されるように、保持体３５の第４側板３５Ｌｏの下面が筐体２の第１突出部５３に接触するとともに、保持体３５の第２突出部４５の下面が筐体２の天板２Ｕの上面に接触することにより、保持体３５のスライドが止まり、図２に示されるように、保持体３５の取り付けが完了する。
【００２８】
保持体３５を取り外す場合には、作業者が、保持体３５を上方にスライドさせて保持体３５の縁部４３を筐体２の着脱部５１から引き抜く。図７、９Ａに示されるように、フィルター３１及び枠体３３は、保持体３５の保持部３５Ｈに保持されている。図８に示されるように、作業者は、フィルター３１及び枠体３３を保持部３５Ｈから取り外し、取り外したフィルター３１及び枠体３３を清掃して保持体３５に取り付け、前述の手順で保持体３５を筐体２に取り付ける。あるいは、作業者は、収容部３５Ａから予備のフィルター３１及び枠体３３を取り出して保持部３５Ｈに取り付けてもよい。
【００２９】
以上説明した本実施形態に係るプリンター１によれば、筐体２の外面に対して平行に保持体３５をスライドさせることで保持体３５が着脱されるから、プリンター１の集塵用のフィルター３１を容易に着脱することができる。また、保持体３５を上下方向にスライドさせることで保持体３５が着脱されるから、排気口２１が形成された側面が壁や他の備品などに近接している場合でも、フィルター３１を容易に着脱することができる。また、保持体３５に予備のフィルター３１が収容されるから、フィルター３１の交換に要する時間を短縮することができる。
【００３０】
上記実施形態は、以下のように変形されてもよい。
【００３１】
上記実施形態では、筐体２の後側の側板２Ｒｒに排気口２１が設けられたプリンター１に本発明を適用した例が示されているが、筐体２の後側以外の側板に排気口２１が設けられたプリンター１に本発明が適用されてもよい。例えば、筐体２の左側の側板２Ｌ又は右側の側板２Ｒに排気口２１が設けられたプリンター１に本発明が適用されてもよい。この場合、上記実施形態と同様に保持体３５を上下方向にスライドさせることにより保持体３５を着脱するように構成されてもよく、保持体３５を前後方向にスライドさせることにより保持体３５を着脱するように構成されてもよい。この構成によれば、プリンター１の集塵用のフィルター３１を容易に着脱することができる。
【００３２】
図１２は、上記実施形態の変形例に係るプリンター１及び排気装置１９の斜視図である。この例では、排気口２１と着脱部５１が筐体２の凹部５５に形成された例である。凹部５５の前後方向の深さは、保持体３５の前後方向の厚みと同等である。この構成によれば、保持体３５を筐体２に取り付けたときに保持体３５の対向部３５Ｒｒの外面と筐体２の後側の側板２Ｒｒの外面とが概ね同一面を形成するから、プリンター１を設置する空間の利用効率を高めることができる。
【符号の説明】
【００３３】
１  プリンター（画像形成装置）
２  筐体
７  画像形成部
１９  排気装置
２１  排気口
２７  ファン
３１  フィルター
３５  保持体
３５Ａ  収容部
４３  縁部
５１  着脱部
【図１】
2020115200.tif 000003
【図２】
2020115200.tif 000004
【図３】
2020115200.tif 000005
【図４】
2020115200.tif 000006
【図５Ａ】
2020115200.tif 000007
【図５Ｂ】
2020115200.tif 000008
【図６】
2020115200.tif 000009
【図７】
2020115200.tif 000010
【図８】
2020115200.tif 000011
【図９Ａ】
2020115200.tif 000012
【図９Ｂ】
2020115200.tif 000013
【図１０】
2020115200.tif 000014
【図１１Ａ】
2020115200.tif 000015
【図１１Ｂ】
2020115200.tif 000016
【図１２】
2020115200.tif 000017